(57)【要約】【課題】開閉扉に対する操作抵抗に開方向と閉方向とで差を持たせることができ、しかも開方向又は閉方向の操作抵抗を調整可能となした調速ステー装置を提供する。【解決手段】キャビネット本体２に回転自在に取付けた枢支部材１１と、途中部を枢支部材１１に挿通させたステー本体１２と、枢支部材１１内においてステー本体１２に沿ってスライド自在に設けたスライド部材１３と、スライド部材１３と枢支部材１１間においてスライド部材１３のスライド方向に転動自在に設けた押圧ローラ１４と、スライド部材１３の開方向への最前進位置を調整する調整ネジ１５と、スライド部材１３及び押圧ローラ１４の閉方向への最前進位置を規制するストッパー部材１７とを備え、スライド部材１３の押圧面１３ａと枢支部材１１の受圧面１１ａのうちの一方を開方向へ行くにしたがって、ステー本体１２に接近する傾斜面で構成した。【選択図】図７
2012127086.tif 000002
【特許請求の範囲】
【請求項１】
本体部材とそれに開閉自在に取付けた開閉扉とにわたって設けられ、該開閉扉の開方向と閉方向のうちの一方の重操作方向への操作抵抗を調整して、該重操作方向への操作抵抗を他方の軽操作方向への操作抵抗よりも大きく設定可能となした調速ステー装置であって、
前記本体部材の壁部に回転自在に取付けた枢支部材と、
前端部を前記開閉扉に対して回転自在に取り付け、途中部を前記枢支部材にスライド自在に挿通させた細長い棒状のステー本体と、
前記枢支部材内において前記ステー本体に沿ってスライド自在に設けたスライド部材と、
前記スライド部材と枢支部材間においてスライド部材のスライド方向に転動自在に設けた押圧ローラと、
前記押圧ローラにより押圧されるスライド部材に設けた押圧面と前記押圧ローラを受け止める枢支部材に設けた受圧面であって、前記押圧面と受圧面のうちの少なくとも一方を重操作方向へ行くにしたがって、前記ステー本体に接近する傾斜面で構成した押圧面及び受圧面と、
前記押圧ローラからの押し操作力でステー本体に圧接されるスライド部材に設けた摺接面と、
前記スライド部材の重操作方向への最前進位置を調整する調整ネジと、
前記スライド部材に対する押圧ローラの重操作方向への最前進位置を規制するスライド部材に設けた係止部と、
前記スライド部材及び押圧ローラの軽操作方向への最前進位置を規制する位置規制手段と、
を備えたことを特徴とする調速ステー装置。
【請求項２】
前記押圧面及び受圧面を重操作方向へ行くにしたがって前記ステー本体に接近する傾斜面でそれぞれ構成した請求項１記載の調速ステー装置。
【請求項３】
前記位置規制手段として、前記押圧ローラの軽操作方向への最前進位置を規制するストッパー部材を設けた請求項１又は２記載の調速ステー装置。
【請求項４】
前記ステー本体を細長い板状部材で構成し、前記ステー本体に対するスライド部材の押圧方向におけるステー本体の厚さをステー本体の重操作方向の後端部側へ行くにしたがって大きく設定した請求項１〜３のいずれか１項記載の調速ステー装置。
【請求項５】
前記スライド部材の摺接面をスライド部材のスライド方向に相互に間隔をあけて１対設けた請求項１〜４のいずれか１項記載の調速ステー装置。
【発明の詳細な説明】
【技術分野】
【０００１】
本発明は、家具等における開閉体の開閉速度を調整可能な調速ステー装置に関する。
【背景技術】
【０００２】
家具等の箱状部材に対する開閉扉の開閉支持構造として、開閉扉を箱状部材に開閉自在に枢支するヒンジ部材と、箱状部材と開閉扉とにわたって設けられ、開閉扉の開閉速度を調整可能なステー装置とを備えたものが広く実施されている。
【０００３】
前記ステー装置として、例えば、開閉扉に取り付けた棒状部材からなるステー本体と、ステー本体が挿通する挿通溝を有する圧縮変形可能なブッシュと、ブッシュを保持するブッシュ保持溝を有する本体部材とを備え、ステー本体の変位速度をそのステー本体に対するブッシュの押圧力で抑制するように構成したものが提案されている（例えば、特許文献１参照。）。
【先行技術文献】
【特許文献】
【０００４】
【特許文献１】特許第３０１１１３５号公報
【発明の概要】
【発明が解決しようとする課題】
【０００５】
ところが、前記特許文献１記載のステー装置では、開閉扉の開方向と閉方向とで同じ大きさの操作抵抗がステー本体に対して付与されるので、例えば箱状部材の上部に対して回動自在に開閉扉を設けた場合において、開閉扉がその自重により緩やかに開方向へ回動するように操作抵抗を設定すると、開閉扉を手動により閉操作するときに、大きな操作力が必要となり、開閉扉の操作性が低下するという問題が発生する。また反対に手動による開閉扉の閉方向への操作性を高めるため、ステー本体に対する操作抵抗を小さくすると、開閉扉がその自重で開くときに、開閉扉が勢い良く開方向に回動してしまい、全開になったときに大きな衝撃が発生するという問題がある。
【０００６】
本発明の目的は、開閉扉に対する操作抵抗に開方向と閉方向とで差を持たせることができ、しかも開方向又は閉方向の操作抵抗を調整可能となした調速ステー装置を提供することである。
【課題を解決するための手段】
【０００７】
本発明に係る調速ステー装置は、本体部材とそれに開閉自在に取付けた開閉扉とにわたって設けられ、該開閉扉の開方向と閉方向のうちの一方の重操作方向への操作抵抗を調整して、該重操作方向への操作抵抗を他方の軽操作方向への操作抵抗よりも大きく設定可能となした調速ステー装置であって、前記本体部材の壁部に回転自在に取付けた枢支部材と、前端部を前記開閉扉に対して回転自在に取り付け、途中部を前記枢支部材にスライド自在に挿通させた細長い棒状のステー本体と、前記枢支部材内において前記ステー本体に沿ってスライド自在に設けたスライド部材と、前記スライド部材と枢支部材間においてスライド部材のスライド方向に転動自在に設けた押圧ローラと、前記押圧ローラにより押圧されるスライド部材に設けた押圧面と前記押圧ローラを受け止める枢支部材に設けた受圧面であって、前記押圧面と受圧面のうちの少なくとも一方を重操作方向へ行くにしたがって、前記ステー本体に接近する傾斜面で構成した押圧面及び受圧面と、前記押圧ローラからの押し操作力でステー本体に圧接されるスライド部材に設けた摺接面と、前記スライド部材の重操作方向への最前進位置を調整する調整ネジと、前記スライド部材に対する押圧ローラの重操作方向への最前進位置を規制するスライド部材に設けた係止部と、前記スライド部材及び押圧ローラの軽操作方向への最前進位置を規制する位置規制手段とを備えたものである。なお、本明細書では、ステー本体のスライド方向のうちの、操作抵抗を大きくした方向を重操作方向と定義し、操作抵抗を小さくした方向を軽操作方向と定義して以下説明する。
【０００８】
この調速ステー装置では、ステー本体を重操作方向へ操作すると、スライド部材がステー本体とともに重操作方向へ移動し、押圧ローラがスライド部材に設けた押圧面と枢支部材に設けた受圧面間において重操作方向へ転動し、重操作方向へ行くにしたがって、ステー本体に接近する傾斜面で構成した押圧面と受圧面の少なくとも一方により、押圧ローラによる押圧面への押圧力が強くなるとともに、ステー本体に対するスライド部材への圧接力が強くなり、ステー本体の操作抵抗が大きくなる。そして、スライド部材が調整ネジに当接して、スライド部材が重操作方向への最前進位置に位置規制されると、押圧ローラの転動が停止し、押圧ローラの転動位置に応じた押圧力で、スライド部材の摺動面がステー本体に圧接されて、調整ネジの螺進位置に応じた操作抵抗がステー本体に付与されながら、ステー本体が重操作方向にスライドすることになる。
【０００９】
一方、ステー本体を軽操作方向へ操作すると、スライド部材がステー本体とともに軽操作方向にスライドするとともに、押圧ローラが押圧面と受圧面間において軽操作方向、重操作方向へ行くにしたがって、ステー本体に接近する傾斜面で構成した押圧面と受圧面の少なくとも一方により、押圧ローラによる押圧面への押圧力が弱くなるとともに、スライド部材のステー本体に対する圧接力が弱くなり、ステー本体の操作抵抗が小さくなる。そして、スライド部材及び押圧ローラの軽操作方向への最前進位置が位置規制手段により位置規制されると、押圧ローラの転動が停止し、押圧ローラの転動位置に応じた押圧力で、スライド部材の摺動面がステー本体に圧接されて、ステー本体に重操作方向への操作力よりも小さな操作抵抗が付与されるか、或いは押圧ローラが押圧面から離間して、スライド部材によるステー本体への操作抵抗が無くなって、ステー本体が軽操作方向にスライドすることになる。
【００１０】
このように、この調速ステー装置では、ステー本体のスライド方向が、重操作方向の場合には、ステー本体の操作抵抗が大きくなり、軽操作方向の場合には、ステー本体の操作抵抗が小さくなるので、例えば重力などによる開閉扉の自動操作方向を重操作方向に設定し、開閉扉の手動操作方向を軽操作方向に設定することで、重力などによって開閉扉が自動で開方向又は閉方向に回動するときには、高級感や安定感のある緩やかな作動を実現でき、開閉扉を手動で反対方向へ操作するときには、操作抵抗を小さくして、開閉扉の操作性を向上できる。
【００１１】
この調速ステー装置は、本体部材の下部に開閉扉を開閉自在に支持した家具等や、本体部材の上部に開閉扉を開閉自在に支持した家具等や、本体部材の左部と右部の少なくとも一方に開閉扉を開閉自在に支持した家具等に対して適用することができる。
【００１２】
本体部材の下部に開閉扉を開閉自在に支持した家具等においては、例えば開閉扉を手動により閉操作するときには、操作抵抗が小さくなるように設定して、開閉扉の手動による閉方向への操作が円滑になされるように構成し、開閉扉が自重により開方向へ回動するときには、操作抵抗が大きくなるように設定して、開閉扉が緩やかに開方向へ回動するように構成することができる。
【００１３】
また、本体部材の上部に開閉扉を開閉自在に支持した家具等においては、例えば開閉扉を手動により開操作するときには、操作抵抗が小さくなるように設定して、開閉扉の手動による開方向への操作が円滑になされるように構成し、開閉扉が自重により閉方向へ回動するときには、操作抵抗が大きくなるように設定して、開閉扉が緩やかに閉方向へ回動するように構成することができる。
【００１４】
更に、本体部材の左部と右部の少なくとも一方に開閉扉を開閉自在に支持した家具等においては、コイルバネ等の付勢手段で、開閉扉を開方向又は閉方向へ付勢し、例えば開閉扉を開方向へ付勢する場合には、開閉扉を手動により閉操作するときには、操作抵抗が小さくなるように設定して、開閉扉の手動による閉方向への操作が円滑になされるように構成し、開閉扉が付勢手段により開方向へ回動するときには、操作抵抗が大きくなるように設定して、開閉扉が緩やかに開方向へ回動するように構成することができる。また、開閉扉を閉方向へ付勢する場合には、開閉扉を手動により開操作するときには、操作抵抗が小さくなるように設定して、開閉扉の手動による開方向への操作が円滑になされるように構成し、開閉扉を付勢手段により閉方向へ回動させるときには、操作抵抗が大きくなるように設定して、開閉扉が緩やかに閉方向へ回動するように構成することができる。
【００１５】
ここで、前記押圧面及び受圧面を重操作方向へ行くにしたがって前記ステー本体に接近する傾斜面でそれぞれ構成することが好ましい実施の形態である。この場合には、ステー本体を重操作方向へ操作したときに、ステー本体とともに重操作方向へ移動するスライド部材の押圧面により、押圧ローラに対して重操作方向への操作力を作用させることができるので、押圧ローラと押圧面間の滑りを防止して、押圧面と受圧面間において押圧ローラを重操作方向へ確実に転動させることができる。
【００１６】
前記位置規制手段として、前記押圧ローラの軽操作方向への最前進位置を規制するストッパー部材を設けることができる。この場合には、ストッパー部材を設けるという簡単な構成で、前記押圧ローラの軽操作方向への最前進位置を規制するとともに、押圧ローラにスライド部材の係止部が係合することで、スライド部材の軽操作方向への最前進位置をも規制することができる。
【００１７】
前記ステー本体を細長い板状部材で構成し、前記ステー本体に対するスライド部材の押圧方向におけるステー本体の厚さをステー本体の重操作方向の後端部側へ行くにしたがって大きく設定することも好ましい実施の形態である。このように構成すると、ステー本体の重操作方向への操作抵抗を、ステー本体を重操作方向に操作するにしたがって順次大きく設定することができ、例えば開閉扉の開閉速度を全開に近づくにしたがって緩やかになるように設定したり、全閉に近づくにしたがって緩やかになるように設定したりすることができる。
【００１８】
前記スライド部材の摺接面をスライド部材のスライド方向に相互に間隔をあけて１対設けることが好ましい実施の形態である。このように構成すると、スライド部材をステー本体に対して安定性良く摺動させることができる。また、スライド部材とステー本体との摺動面積のバラツキを少なくできる。
【発明の効果】
【００１９】
本発明に係る調速ステー装置によれば、ステー本体のスライド方向が、重操作方向の場合には、ステー本体の操作抵抗が大きくなり、軽操作方向の場合には、ステー本体の操作抵抗が小さくなるので、例えば重力などによる開閉扉の自動操作方向を重操作方向に設定し、開閉扉の手動操作方向を軽操作方向に設定することで、重力などによって開閉扉が自動で開方向又は閉方向に回動するときには、高級感や安定感のある緩やかな作動を実現でき、開閉扉を手動で反対方向へ操作するときには、操作抵抗を小さくして、開閉扉の操作性を向上できる。
【図面の簡単な説明】
【００２０】
【図１】調速ステー装置及び家具の斜視図
【図２】図１のII−II線断面図
【図３】調速ステー装置の分解斜視図
【図４】調速ステー装置の一部を切り欠いた分解斜視図
【図５】開閉扉を閉鎖した状態での図２のV-V線断面図
【図６】図５のVI-VI線断面図
【図７】（ａ）（ｂ）は図５のVII-VII線断面での調速ステー装置の作動説明図
【発明を実施するための形態】
【００２１】
以下、本発明の実施形態について図面を参照しながら説明する。
図１、図２に示すように、調速ステー装置１０は、液晶テレビや音響機器などを設置するためのキャビネット１において、前面を開放した箱状のキャビネット本体２（これが本体部材に相当する）と、キャビネット本体２に開閉自在に取付けた開閉扉３とにわたって設けられ、開閉扉３の重操作方向（図１、図２に示すキャビネット１では開閉扉３の開方向）への操作抵抗を調整することで、開方向への操作抵抗を軽操作方向（図１、図２に示すキャビネット１では開閉扉３の閉方向）への操作抵抗よりも大きく設定可能となし、自重による開方向への操作時には、操作抵抗を大きくして緩やかに開閉扉３が開放されるように構成し、手動操作による閉方向への操作時には、操作抵抗を小さくして容易に開閉扉３を閉操作できるように構成したものである。
【００２２】
開閉扉３は、左右１対のヒンジ部材４を介してキャビネット本体２の下壁部２Ｄの前縁部に、図２に実線で図示の開放位置と、図２に仮想線で図示の閉鎖位置とにわたって回動自在に取り付けられている。キャビネット本体２の上壁部２Ｕの下面前縁部の左右方向の中央部には永久磁石を組み込んだマグネットキャッチ５が設けられ、開閉扉３の遊端部の左右方向の中央部には磁性体からなる受け金具６が固定され、開閉扉３を閉じた状態で、マグネットキャッチ５が受け金具６を吸着保持して、開閉扉３が閉鎖位置に保持されるように構成されている。
【００２３】
調速ステー装置１０は、キャビネット本体２の左側壁部２Ｌと、開閉扉３の左部間に設けられている。ただし、キャビネット本体２の右側壁部２Ｒと、開閉扉３の右部間に設けることもできるし、キャビネット本体２の左右の側壁部２Ｌ、２Ｒと開閉扉３の左部及び右部間にそれぞれ設けることもできる。ただし、キャビネット本体２の右側に設ける調速ステー装置は、左側に設ける調速ステー装置１０とは左右対称に構成することになる。
【００２４】
調速ステー装置１０は、図１〜図７に示すように、キャビネット本体２の左側壁部２Ｌに回転自在に取付けた枢支部材１１と、前端部を開閉扉３に対して回転自在に取り付け、途中部を枢支部材１１にスライド自在に挿通させたステー本体１２と、枢支部材１１内においてステー本体１２に沿ってスライド自在に設けたスライド部材１３と、スライド部材１３と枢支部材１１間においてスライド部材１３のスライド方向に転動自在に設けた押圧ローラ１４と、スライド部材１３の開方向への最前進位置を調整する調整ネジ１５と、スライド部材１３及び押圧ローラ１４の閉方向への最前進位置を規制する位置規制手段としてのストッパー部材１７とを備え、押圧ローラ１４が圧接される押圧面１３ａと、ステー本体１２に圧接される摺動面１３ｂと、押圧ローラ１４の開方向への最前進位置を規制する係止部１３ｃとをスライド部材１３に設け、枢支部材１１に押圧ローラ１４を受け止める受圧面１１ａを設け、押圧面１３ａと受圧面１１ａのうちの少なくとも一方を重操作方向へ行くにしたがって、ステー本体１２に接近する傾斜面で構成したものである。
【００２５】
枢支部材１１は略円柱状の部材で構成され、枢支部材１１の左端部には環状のフランジ部１１ｂが外方へ突出状に形成され、枢支部材１１の左端部には平板環状の固定リング１６が外嵌状に設けられている。固定リング１６の左面側には枢支部材１１のフランジ部１１ｂを回転自在に保持可能な保持溝１６ａが形成され、枢支部材１１は、図５に示すように、フランジ部１１ｂを固定リング１６の保持溝１６ａに装填して、固定リング１６を枢支部材１１の左部に外嵌させた状態で、固定リング１６をキャビネット本体２の左側壁部２Ｌに固定することで、キャビネット本体２の左側壁部２Ｌの内面の前縁部の中段部に左右方向の軸心回りに回転自在に支持されている。
【００２６】
枢支部材１１内には後面を開放した前後方向に延びる略直方体状の収容空間１８が形成され、枢支部材１１の前側上部には収容空間１８に連通する角孔状の挿通孔１９が形成されている。ステー本体１２は、縦断面長方形状の細長い金属製の板状部材で構成され、縦断面の長手方向を上下方向にして挿通孔１９及び収容空間１８に挿通されて、枢支部材１１に前後方向にスライド自在に支持されている。ステー本体１２の幅は一様に設定することも可能であるが、開閉扉３が開放位置側へ回動するにしたがって、回動速度が緩やかになるように設定したり、開閉扉３の開放位置側への回動速度が一様になるように設定したりするため、ステー本体１２の後部側（重操作方向の後端部側）へ行くにしたがって大きくなるように構成されている。
【００２７】
図１、図２に示すように、開放位置における開閉扉３の左部の前後方向の途中部にはブラケット部材７が上方へ突出状に固定され、ステー本体１２の前端部はブラケット部材７の上端部に左右方向の枢支ピン８を介して回転自在に連結されている。ステー本体１２の後端部には抜止部１２ａがステー本体１２を折り曲げて形成され、この抜止部１２ａが枢支部材１１に当接することで、開閉扉３が開放位置に保持されるように構成されている。
【００２８】
図３〜図７に示すように、収容空間１８の上部内にはステー本体１２の上部を前後方向に案内する案内溝１１ｃが形成され、枢支部材１１の右部には収容空間１８の高さ方向の途中部内に突出する前後方向に細長いガイド突部１１ｄが形成されている。
【００２９】
スライド部材１３は、収容空間１８の上部内に、ステー本体１２のスライド方向に移動自在に組み付けられ、押圧ローラ１４は、スライド部材１３の下側の収容空間１８の下部内に、ステー本体１２のスライド方向に転動自在に設けられている。
【００３０】
スライド部材１３の左部にはステー本体１２の下部に沿って前後方向に移動自在に嵌合する嵌合溝１３ｄを有する断面略Ｕ字状のガイド部１３ｅが形成され、ガイド部１３ｅの嵌合溝１３ｄの底面にはステー本体１２の下面に摺接する１対の摺動部１３ｆが前後に間隔をあけて形成されている。
【００３１】
枢支部材１１における収容空間１８の底面には押圧ローラ１４を下側から受け止める受圧面１１ａが形成され、ガイド部１３ｅの下面には押圧ローラ１４により上方へ押圧される押圧面１３ａが形成されている。受圧面１１ａ及び押圧面１３ａは、開閉扉３の開方向（重操作方向）へ行くにしたがってステー本体１２の下面に接近する傾斜面で構成され、図６に示すように、ステー本体１２の長さ方向に対する受圧面１１ａの傾斜角度θ１は、ステー本体１２の長さ方向に対する押圧面１３ａの傾斜角度θ２よりもやや小さな傾斜角度に設定されている。ただし、受圧面１１ａと押圧面１３ａとは、その一方のみを重操作方向へ行くにしたがって、ステー本体１２の下面に接近する傾斜面で構成することもできる。
【００３２】
押圧ローラ１４は、押圧面１３ａと受圧面１１ａ間に配置されるローラ本体１４ａと、ガイド突部１１ｄの下側に配置される軸部１４ｂとから構成されている。ただし、軸部１４ｂを省略して、全体を円柱状に構成することも可能である。また、押圧ローラ１４の外周面にシリコングリス等を塗布して、押圧ローラ１４の転動が円滑になされるように構成することもできる。
【００３３】
枢支部材１１の後部には押圧ローラ１４に当接可能なピン部材からなるストッパー部材１７が収容空間１８を横断するように左右方向に設けられ、スライド部材１３のガイド部１３ｅの前部には係止部１３ｃが下方へ突出状に形成されている。スライド部材１３の右後部にはガイド突部１１ｄの上側に配置される直方体状のブロック部１３ｇが形成され、ブロック部１３ｇの前面には前方下がりの傾斜状の当接面１３ｈが形成され、枢支部材１１の前側上部には当接面１３ｈに当接可能な調整ネジ１５が螺合されている。そして、押圧ローラ１４は、図７(ａ)に示すように、押圧ローラ１４がストッパー部材１７に当接することで、その後方への移動が規制されて、軽操作方向の最前進位置に保持され、スライド部材１３は、押圧ローラ１４の後方への移動がストッパー部材１７で規制されることで、係止部１３ｃを介して後方への移動が規制され、軽操作方向の最前進位置に保持される。また、ストッパー部材１７は、図７(ｂ)に示すように、調整ネジ１５の先端部に当接面１３ｈが当接することで、前方への移動が規制されて、重操作方向への最前進位置に保持され、押圧ローラ１４は、スライド部材１３の係止部１３ｃに当接してその前方への移動が規制されることで、重操作方向への最前進位置に保持される。また、調整ネジ１５の螺進量を調整することで、スライド部材１３及び押圧ローラ１４の重操作方向への最前進位置を調整することができる。
【００３４】
この調速ステー装置１０では、閉鎖位置の開閉扉３を開放するため、開閉扉３を前側へ手で操作して、受け金具６をマグネットキャッチ５ャから切り離すと、その後は、開閉扉３がその自重により自動的に開放位置まで回動することになる。このとき、図７（ｂ）に示すように、ステー本体１２が前方（重操作方向）へ移動するとともに、スライド部材１３がステー本体１２とともに前方（重操作方向）へ移動し、押圧ローラ１４がスライド部材１３に設けた押圧面１３ａと枢支部材１１に設けた受圧面１１ａ間において前方に転動し、押圧ローラ１４による押圧面１３ａへの押圧力が強くなるとともに、スライド部材１３からのステー本体１２への圧接力が強くなり、ステー本体１２の操作抵抗が大きくなる。そして、スライド部材１３が調整ネジ１５に当接して、スライド部材１３が最前進位置に位置規制されると、押圧ローラ１４の転動が停止し、押圧ローラ１４の転動位置に応じた押圧力で、スライド部材１３の摺動面１３ｂがステー本体１２に圧接されて、調整ネジ１５の螺進位置に応じた操作抵抗がステー本体１２に付与されながら、ステー本体１２が前方へスライドして、開閉扉３が緩やかに開放位置まで回動することになる。
【００３５】
一方、開放位置の開閉扉３を閉鎖するときには、開閉扉３を閉鎖方向へ手動で回動操作して、受け金具６をマグネットキャッチ５ャに吸着保持させて、開閉扉３を閉鎖位置に保持させることになる。このとき、図７(ａ)に示すように、ステー本体１２が後方（軽操作方向）へ移動するとともに、スライド部材１３がステー本体１２とともに後方（軽操作方向）にスライドし、押圧ローラ１４が押圧面１３ａと受圧面１１ａ間において後方に転動し、押圧ローラ１４による押圧面１３ａへの押圧力が弱くなるとともに、スライド部材１３のステー本体１２に対する圧接力が弱くなり、ステー本体１２の操作抵抗が小さくなる。そして、押圧ローラ１４がストッパー部材１７に当接して、スライド部材１３及び押圧ローラ１４の最後退位置が位置規制されると、押圧ローラ１４の転動が停止し、押圧ローラ１４の転動位置に応じた押圧力で、スライド部材１３の摺動面１３ｂがステー本体１２に圧接されるか、或いは押圧ローラ１４がスライド部材１３の押圧面１４から離間して、ステー本体１２に前方への操作抵抗よりも小さな操作抵抗が付与されながら、ステー本体１２が後方にスライドして、開閉扉３を閉鎖位置まで容易に回動操作できることになる。
【００３６】
このように、この調速ステー装置１０では、重力によって開閉扉３が自動で開方向に回動するときには、高級感や安定感のある緩やかな作動を実現でき、開閉扉３を手動で反対方向へ操作するときには、操作抵抗を小さくして、開閉扉３の操作性を向上できる。
【００３７】
なお、本実施の形態では、キャビネット本体２の下部に開閉扉３を開閉自在に支持したキャビネット１に対して本発明の調速ステー装置１０を適用したが、キャビネット本体２の上部に開閉扉３を開閉自在に支持したキャビネットや、キャビネット本体２の左側壁部２Ｌと右側壁部２Ｒの少なくとも一方に開閉扉３を開閉自在に支持したキャビネットなどに対しても本発明を同様に適用することができる。また、本発明は、キャビネット１以外の家具類に対しても、開閉扉３を有するものであれば同様に適用することができる。
【００３８】
以上、本発明の実施形態について説明したが、本発明は前述した実施形態に何ら限定されるものではなく、本発明の要旨を逸脱しない範囲においてその構成を変更し得ることは勿論である。
【符号の説明】
【００３９】
１      キャビネット          ２      キャビネット本体
２Ｄ    下壁部                ２Ｌ    左側壁部
２Ｒ    右側壁部              ２Ｕ    上壁部
３      開閉扉                ４      ヒンジ部材
５      マグネットキャッチ    ６      受け金具
７      ブラケット部材        ８      枢支ピン
１０    調速ステー装置        １１    枢支部材
１１ａ  受圧面                １１ｂ  フランジ部
１１ｃ  案内溝                １１ｄ  ガイド突部
１２    ステー本体            １２ａ  抜止部
１３    スライド部材          １３ａ  押圧面
１３ｂ  摺動面                １３ｃ  係止部
１３ｄ  嵌合溝                １３ｅ  ガイド部
１３ｆ  摺動部                １３ｇ  ブロック部
１３ｈ  当接面                １４    押圧ローラ
１４ａ  ローラ本体            １４ｂ  軸部
１５    調整ネジ              １６    固定リング
１６ａ  保持溝                １７    ストッパー部材
１８    収容空間              １９    挿通孔
【図１】
2012127086.tif 000003
【図２】
2012127086.tif 000004
【図３】
2012127086.tif 000005
【図４】
2012127086.tif 000006
【図５】
2012127086.tif 000007
【図６】
2012127086.tif 000008
【図７】
2012127086.tif 000009